(57)【要約】      （修正有）【課題】水中で自由な水泳動作と安定した水泳姿勢を保て、水の抵抗を減少させて、自由な呼吸を確保できる装着式船形水泳補助具を提供する。【解決手段】比重が水に近い樹脂製等の板材で形成される船形の外郭であって、先端は船の舳先状又は円錐状に尖っていて、上腕の付根の位置に切り欠きがあり、胴体部にベルト又はベルクロ、ひも等の締め具で人体に装着し、うつ伏せの姿勢でも自由な呼吸が可能な鼻口が常に空気中にあるための浮力を先端部と頭部付近に備え、顔面付近が透明で、人体頭部の前方より腰の下方までをほぼ半円形の船体形の外郭で覆っている装着式船形水泳補助具を構成している。【選択図】図１
2011177468.tif 000002
【特許請求の範囲】
【請求項１】
比重が水に近い樹脂製等の板材で形成される船形の外郭であって、先端は船の舳先状又は円錐状に尖っていて、上腕の付根の位置に切り欠きがあり、胴体部にベルト又はベルクロ、ひも等の締め具で人体に装着し、うつ伏せの姿勢でも自由な呼吸が可能なように鼻口が常に空気中にあるための浮力を先端部と頭部付近に備え、顔面付近は透明であり、人体頭部の前方より腰の下方までをほぼ半円形の船体形の外郭で覆っている装着式船形水泳補助具。
【請求項２】
請求項１の装着式船形水泳補助具において、前縁が硬質の芯でその上下に一対のフィルム材又は薄板等で後縁が閉じておらず、上腕部から手の平まで差し込んで着脱が容易な腕ヒレを前記上腕の付根の切り欠き位置付近に自由度を持って連結された装着式船形水泳補助具。
【請求項３】
請求項１の装着式船形水泳補助具において、推進力を増強するための足の平に装着するモノフィン又はセパレートフィンで、翼端版を使ってブレードの適正な迎え角を保ち翼断面に揚力を発生させる揚力推進形尾ヒレを有する装着式船形水泳補助具。
【請求項４】
請求項１の装着式船形水泳補助具において、上腕部の切り欠きを無くして両腕を前方に伸ばす姿勢をとり、先端から腰下までを半円形の船形の外郭で覆うように構成された装着式船形水泳補助具。 
【請求項５】
請求項１の装着式船形水泳補助具において、柔軟な素材あるいは、前後方向の柔軟性が高い強度に方向性を持った素材を用いて船体を構成して、使用時には十分な船体強度を有するが、携帯時には小さく巻ける装着式船形水泳補助具。
【発明の詳細な説明】
【技術分野】
【０００１】
本発明は装着式船形水泳補助具に関する。          
【背景技術】
【０００２】
従来の水泳補助具は、救命用に浮力を確保するためや初心者の練習用のために浮力を付与するもの等であった。
【０００３】
したがって、水泳者がより速く進むためや、水の抵抗を減らして小さい力で快適に泳ぐことができない欠点があった。
【０００４】
また、他の従来の水泳補助具は、水の抵抗を減らす手段としては競泳等で用いられる高速水着であった。
【０００５】
したがって、水着表面の抵抗を減らすことは可能だが、水泳者の外形で受ける水の抵抗は減らせない欠点があった。
【０００６】
また、他の従来の水泳補助具は、推進力を増すために足や手に装着するフィン等であった。
【０００７】
したがって、手の平や足の平を拡張して推進効果を増大させる効果は期待されるが、速く進む分、水の抵抗も増してエネルギーを消耗する欠点があった。
【０００８】
また、他の従来の水泳補助具は、うつ伏せの姿勢のままで呼吸をする手段としてはシュノーケルや空気ボンベ等であった。
【０００９】
したがって、マウスピースを口にくわえて口からのみで呼吸をしなければいけない欠点があった。
【００１０】
また、他の従来の水泳補助具は、水中での視野を確保するための手段としてはゴーグルマスク等であった。
【００１１】
したがって、水密のゴーグルマスクを顔面に装着していなければいけない欠点があった。
【００１２】
また、他の従来の水泳補助具は、船体形状や浮力を有する場合では一定の大きさ以上である。
【００１３】
したがって、携帯移動や保管に不便である欠点があった。
【先行技術文献】
【特許文献】
【００１４】
【特許文献１】特開２００６−１４９４４７
【特許文献２】特開昭６２−２３６５６７
【特許文献３】実開昭６３−７４１５０
【特許文献４】実開昭５４−３４９９７
【発明の概要】
【発明が解決しようとする課題】
【００１５】
本発明は以上のような従来の欠点に鑑み、用具の浮力を必要最低限として体に装着することによって、水中での水泳の姿勢を保ち手足の水泳動作を自由に水泳姿勢を安定させる装着式船形水泳補助具を提供することを目的とする。
【００１６】
また、頭、肩、胸、腰等が受ける水流による抵抗を減じる装着式船形水泳補助具を提供することを目的とする。
【００１７】
また、水中での水泳の姿勢を安定させ、揚力による推進力を使って省力で高速な装着式船形水泳補助具を提供することを目的とする。
【００１８】
また、水中での水泳の姿勢を保ちながら鼻、口を常に空気中に保ち自由に呼吸ができる装着式船形水泳補助具を提供することを目的とする。
【００１９】
また、船体の顔面付近あるいは全体が透明で視野が確保できる装着式船形水泳補助具を提供することを目的とする。
【００２０】
また、薄板状の外板を折り曲げ、あるいは曲げて体に装着することにより船形をなし、携帯の時は巻いて移動できる装着式船形水泳補助具を提供することを目的とする。
【課題を解決するための手段】
【００２１】
上記目的を達成するために、本発明は比重が水に近い樹脂製等の板材で形成される船形の外郭であって、先端は船の舳先状又は円錐状に尖っていて、上腕の付根の位置に切り欠きがあり、胴体部にベルト又はベルクロ、ひも等の締め具で人体に装着し、うつ伏せの姿勢でも自由な呼吸が可能なように鼻口が常に空気中にあるための浮力を先端部と頭部付近に備え、顔面付近は透明であり、人体頭部の前方より腰の下方までをほぼ半円形の船体形の外郭で覆っている装着式船形水泳補助具を構成している。
【００２２】
第２の発明においては、前縁が硬質の芯でその上下に一対のフィルム材又は薄板等で後縁が閉じておらず、上腕部から手の平まで差し込んで着脱が容易な腕ヒレを前記上腕の付根の切り欠き位置付近に自由度を持って連結された装着式船形水泳補助具を構成している。
【００２３】
第３の発明においては、推進力を増強するための足の平に装着するモノフィン又はセパレートフィンで、翼端版を使ってブレードの適正な迎え角を保ち翼断面に揚力を発生させる揚力推進形尾ヒレを有する装着式船形水泳補助具を構成している。
【００２４】
第４の発明においては、上腕部の切り欠きを無くして両腕を前方に伸ばす姿勢をとり、先端から腰下までを半円形の船形の外郭で覆うように構成された装着式船形水泳補助具を構成している。
【００２５】
第５の発明においては、柔軟な素材あるいは、前後方向の柔軟性が高い強度に方向性を持った素材を用いて船体を構成して、使用時には十分な船体強度を有するが、携帯時には小さく巻ける装着式船形水泳補助具を構成している。
【発明の効果】
【００２６】
以上の説明から明らかなように、本発明にあっては次に列挙する効果が得られる。
（１）比重が水に近い樹脂製等の板材で形成される船形の外郭であって、先端は船の舳先状又は円錐状に尖っていて、上腕の付根の位置に切り欠きがあり、胴体部にベルト又はベルクロ、ひも等の締め具で人体に装着し、うつ伏せの姿勢でも自由な呼吸が可能なように鼻口が常に空気中にあるための浮力を先端部と頭部付近に備え、顔面付近は透明であり、人体頭部の前方より腰の下方までをほぼ半円形の船体形の外郭で覆っている、したがって、水中での水泳の姿勢を保ち手足の水泳動作を自由に水泳姿勢を安定させられまた、水流による抵抗を減じられる。
【００２７】
（２）前記（１）によって水中での水泳の姿勢を保ちながら鼻、口を常に空気中に保ちしたがって、自由に呼吸ができる。
【００２８】
（３）前記（１）によって船体の顔面付近あるいは全体が透明である、したがって、視野が確保できる
【００２９】
（４）前縁が硬質の芯でその上下に一対のフィルム材又は薄板等で後縁が閉じておらず、上腕部から手の平まで差し込んで着脱が容易な腕ヒレを前記上腕の付根の切り欠き位置付近に自由度を持って連結されている、したがって、水中での水泳の姿勢を安定させ、揚力による推進力を使って省力でしかも高速化が図れる。
【００３０】
（５）推進力を増強するための足の平に装着するモノフィン又はセパレートフィンで、翼端版を使ってブレードの適正な迎え角を保ち翼断面に揚力を発生させる揚力推進形尾ヒレを有する、したがって、水中での水泳の姿勢を安定させ、揚力による推進力を使って省力でしかも高速化が図れる。
【００３１】
（６）上腕部の切り欠きを無くして両腕を前方に伸ばす姿勢をとり、先端から腰下までを半円形の船形の外郭で覆うように構成される、したがって、水流による抵抗をより小さくできて高速化につながる。
【００３２】
（７）柔軟な素材あるいは、前後方向の柔軟性が高い強度に方向性を持った素材を用いて船体を構成して、使用時には十分な船体強度を有するが、携帯時には小さく巻ける、したがって、携帯に便利である。
【図面の簡単な説明】
【００３３】
【図１】本発明を実施するための第１の形態の斜視図
【図２】本発明を実施するための第２の形態の斜視図
【図３】本発明を実施するための第３の形態の斜視図
【図４】本発明を実施するための第４の形態の斜視図
【図５】本発明を実施するための第５の形態の斜視図
【図６】本発明を実施するための第５の形態の断面説明図
【図７】本発明を実施するための第６の形態の斜視図
【図８】本発明を実施するための第６の形態の断面説明図
【図９】本発明を実施するための第７の形態の斜視図
【図１０】本発明を実施するための第８の形態の斜視図
【図１１】本発明を実施するための第９の形態の斜視図
【図１２】本発明を実施するための第１０の形態の斜視図
【図１３】本発明を実施するための第１１の形態の斜視図
【図１４】本発明を実施するための第１２の形態の使用状態の説明図
【発明を実施するための形態】
【００３４】
以下、図面に示す発明を実施するための形態により、本発明を詳細に説明する。
【実施例】
【００３５】
図１に示す本発明を実施するための第１の形態において、１は船体である、３は人体に装着するためのベルト及びバックル（ベルクロやひも等その他締結用具）、４は浮力体（発泡体あるいは空気膨張袋等）、５は顎乗せ、６は上腕付根の切り欠き、１２は排水孔である。
【００３６】
上記構成の装着式船形水泳補助具は、浮力が小さく体がほぼ水中にあり装着式であるために、水泳動作が自然で自由にできる。
【００３７】
また、水泳者の頭部前方から腰の下辺りまでを、先端が船の舳先状でほぼ半円形の船形の外郭１で覆うため、水流に対する抵抗を小さくできる。
【００３８】
また、前記浮力体４と前記顎乗せ４とによって、鼻と口が常に空気中にあるので通常の呼吸ができ、水が浸入した場合でも排水孔１２によって排水でき、また、顔面前に透明板を空間を置いて２重にすることにより船底に浸入する水が顔に当らないようにする、また、前記浮力体４と前記顎乗せ５は使用者が各自調整あるいは空気の注入量によって浮力を微調整する。
【００３９】
また、体を反転させて船体が背中側に位置するように装着すれば背泳ぎに対応すことは当然である。
【００４０】
次に、図２から図１４までに示す本発明を実施するための異なる形態について説明する。なお、これらの本発明を実施するための異なる形態の説明に当って、前記本発明を実施するための第１の形態と同一構成部分には同一符号を付して重複する説明を省略する。
【００４１】
図２に示す本発明を実施するための第２の形態において、前記本発明を実施するための第１の形態と主に異なる点は先端部の前記浮力体を１の船体の下側７に設置した点で、これにより船の先端角が上向きになり顔面がより水面上に出易い効果が期待され、このように形成した装着式船形水泳補助具にしても、前記本発明を実施するための第１の形態と同様な作用効果が得られる。
【００４２】
図３に示す本発明を実施するための第３の形態において、前記本発明を実施するための第１の形態と主に異なる点は、前記１の船体を、８頭部船体と９胴体部船体とに分けて頚部の位置で軸支することによって、首の角度が変えられるようにした点で、このように形成した装着式船形水泳補助具にしても、前記本発明を実施するための第１の形態及び第２の形態と同様な作用効果が得られる。
【００４３】
図４に示す本発明を実施するための第４の形態において、前記本発明を実施するための第３の形態と主に異なる点は、前記８、９の船体の内、９の胴体部を９’の上下式にしてクロールと背泳ぎの両方に対応できることを目的として、８の頭部船体を２２の回転リングを介して水泳中であっても頭部船体８’を上下反転させて泳ぎ方を随時替えられる点で、このように形成した装着式船形水泳補助具にしても、前記本発明を実施するための第１、第３の形態と同様な作用効果が得られる。
【００４４】
図５に示す本発明を実施するための第５の形態において主に異なる点は、１０の腕ヒレを装着する点で、図６に示す前縁の芯１３の上下に後ろの開いた薄板あるいは膜１４を設置してその中に腕Ａを、手の平ポケット１５まで差し込んでゆっくり羽ばたかせて、抵抗を減らしながら効果的に推進力が得られまた、バランスや方向転換にも役立つ点で、このように形成した装着式船形水泳補助具にしても、前記本発明を実施するための第１、第２、第３の形態と同様な作用効果が得られる。
【００４５】
図７に示す本発明を実施するための第６の形態において主に異なる点は、図８に示す揚力フィン１６を、水流と平行をなす翼端板１７と角度差（５度から１５度）を付けられるように連結することによって揚力フィン１６の水流に対する迎え角を適正化でき、また、１８は船体１との連結棒、１９は足の差込みである図７に示す揚力推進形尾ヒレ１１を装着する点で、これによって推進効率が高まる、このように形成した装着式船形水泳補助具にしても、前記本発明を実施するための第１、第２、第３の形態と同様な作用効果が得られる。
【００４６】
図９に示す本発明を実施するための第７の形態において主に異なる点は、前記第５の形態の腕ヒレ１０と、前記第６の形態の揚力推進形尾ヒレとを、組み合わせた点で、これによってより一層速度を高められる、このように形成した装着式船形水泳補助具にしても、前記本発明を実施するための第１、第２、第３、第５、第６の形態と同様な作用効果が得られる。
【００４７】
図１０に示す本発明を実施するための第８の形態において、前記本発明を実施するための第１の形態と主に異なる点は、前記船体１の上腕付根の切り欠き６を無くして、上腕を前に伸ばした姿勢で先端から腰下まで体を覆いより抵抗を抑えた船体２である点で、このように形成した装着式船形水泳補助具にしても、前記本発明を実施するための第１の形態と同様な作用効果が得られる。
【００４８】
図１１に示す本発明を実施するための第９の形態において、前記本発明を実施するための第７の形態と主に異なる点は、船体２の前方にカナードフィン２０を設置して軸２１を操作することによってローリングを抑えたり、方向転換を助けたりできる点で、このように形成した装着式船形水泳補助具にしても、前記本発明を実施するための第８の形態と同様な作用効果が得られる。
【００４９】
図１２に示す本発明を実施するための第１０の形態において、前記本発明を実施するための第９の形態と主に異なる点は、揚力推進形尾鰭１１を装着する点で、これによって省エネルギーで効率性が高まる、このように形成した装着式船形水泳補助具にしても、前記本発明を実施するための第１、第８、第９の形態と同様な作用効果が得られる。
【００５０】
図１３に示す本発明を実施するための第１１の形態において、前記本発明を実施するための第１から第７までの形態と主に異なる点は、顎乗せ６の替わりに、ゴム質又は発泡素材等で水密マスク状に顔面を覆うフェイスマスク２５で、両側又は片側もしくは前方に通気候２６を、顎の下には排水弁２７を設けた点で、顔面を押し付けるだけではあるが、これによって顔面前の水密性が高まる、このように形成した装着式船形水泳補助具にしても、前記本発明を実施するための第１から第７までの形態と同様な作用効果が得られる。
【００５１】
図１４に示す本発明を実施するための第１２の形態において、特に柔軟な素材あるいは、前後方向の柔軟性が高い強度に方向性を持った素材を用いて船体１あるいは２を構成するとき、使用時には十分な船体強度を有するが、携帯時には小さく巻ける点で、このように形成した装着式船形水泳補助具にしても、前記本発明を実施するための第１から第１１までの形態と同様な作用効果が得られる。
【符号の説明】
【００５２】
１  船体
２  他の船体
３  装着ベルト
４  浮力体
５  顎乗せ
６  上腕付根の切り欠き
１０腕ヒレ
１１揚力推進形尾ヒレ
２５フェイスマスク
【図１】
2011177468.tif 000003
【図２】
2011177468.tif 000004
【図３】
2011177468.tif 000005
【図４】
2011177468.tif 000006
【図５】
2011177468.tif 000007
【図６】
2011177468.tif 000008
【図７】
2011177468.tif 000009
【図８】
2011177468.tif 000010
【図９】
2011177468.tif 000011
【図１０】
2011177468.tif 000012
【図１１】
2011177468.tif 000013
【図１２】
2011177468.tif 000014
【図１３】
2011177468.tif 000015
【図１４】
2011177468.tif 000016